(57)【要約】      （修正有）【課題】洗濯物干し時に、ピンチを物干し竿の近くに配置し、不自由を感じることなくピンチを取捨選択して使用できるようにした洗濯物干し用ピンチ受けを提供する。【解決手段】適量の物干し用ピンチを収容するための上部開口容器１と、容器１を載置させる枠体２とからなる。枠体２は、水平方向に所定の間隔を隔てて配置された２本の吊り下げ用フック体３，３と、フック体３と枠体２との上下間を連結する２本の垂下体４ａ，４ａと、フック体３の下方において２本の垂下体４ａ，４ａの間に掛け渡された連結体５ａと、２本の垂下体４ａ，４ａの下方部分において前方に向かって突出させた２本の水平枠７ａ，７ａを備えた載置枠７と、さらに、連結体５ａに対して基部が着脱自在に係止され、基部からピンチ収容容器１の上部において前方に向かって突出するハンガー係止用の棒状体とを備えた構成とする。【選択図】図１
0003186593.tif 000002
【実用新案登録請求の範囲】
【請求項１】
適量の物干し用ピンチを収容するための上部開口容器(1)と、該容器(1)を載置させる枠体(2)とからなり、
該枠体(2)が、
水平方向に所定の間隔を隔てて配置された２本の吊り下げ用フック体(3，3)と、
該フック体(3)と前記枠体(2)との上下間を連結する２本の垂下体(4，4)と、
前記フック体(3)の下方において２本の垂下体(4，4)の間に掛け渡された間隔規制用連結体(5)と、
２本の垂下体(4，4)の下方部分において前方に向かって突出させた２本の水平枠(7a，7a)を備えた容器の載置枠(7)と
を備えた構造とされている洗濯物干し用ピンチ受け。
【請求項２】
適量の物干し用ピンチを収容するための上部開口容器(1)と、該容器(1)を載置させる枠体(2)とからなり、
該枠体(2)が、
水平方向に所定の間隔を隔てて配置された２本の吊り下げ用フック体(3，3)と、
該フック体(3)と前記枠体(2)との上下間を連結する２本の垂下体(4，4)と、
前記フック体(3)の下方において２本の垂下体(4，4)の間に掛け渡された間隔規制用連結体(5)と、
２本の垂下体(4，4)の下方部分において前方に向かって突出させた２本の水平枠(7a，7a)を備えた容器の載置枠(7)とを備え、さらに、
所定長さの水平棒状部(62)を備え、基部(61)に下向き開放のフック状部(63)を形成してあるハンガー係止用棒状体(6)を、フック状部(63)を介して連結体(5)に着脱自在に取付け、当該水平棒状部(62)をピンチ収容容器(1)の上部において連結体(5)の前方に向かって水平方向に突出させた構造としてある請求項１に記載の洗濯物干し用ピンチ受け。
【考案の詳細な説明】
【技術分野】
【０００１】
本考案は、洗濯物干し時に使用する洗濯物干し用ピンチを多数又は複数入れておくピンチ収容容器と、このピンチ収容容器を物干し竿の近く位置に吊り下げて使用することができるようにしたピンチ収容容器の受け体とからなる洗濯物干し用ピンチ受けに関するものである。
【０００２】
より具体的には、本考案にいう洗濯物干し用ピンチ受け容器は、通常は、洗濯物干し場の邪魔にならない箇所に置いておき、洗濯物を干す時は、物干し竿の近くに移動させて、腰を屈めることなく立ったまま直ちに使用することができるものである。
【背景技術】
【０００３】
従来から、このような洗濯物干し用ピンチ受け容器は、洗濯物干し場の隅に保管しておき、洗濯物干し時に必要なピンチを選択して使用している。この時、ピンチを取るために逐一腰を屈めなければならないという煩わしさを避けるため、例えば、ピンチ容器そのものを洗濯物干し竿に吊り下げて使用するという考え方も一応知られており、例えば次の特許文献１にみられる通りである。
【先行技術文献】
【特許文献】
【０００４】
【特許文献１】特開平９−９９９５１号公報
【考案の概要】
【考案が解決しようとする課題】
【０００５】
しかしながら、この特許文献１に記載の取手付き容器は、物干し竿に吊して使用することができる点で、ピンチの使用に際して逐一腰を屈めなければならないという煩わしさを避けることができるという利点を有しているものである。
【０００６】
しかしながら、ここに記載のピンチ容器は、ピンチかご本体１に取付けられる取っ手３に直接フック部２を樹脂素材で一体成形したものであるから、複雑な成形金型が必要となり、金型作成に多大な出費を要するという課題を有するものである。
【０００７】
殊に、ピンチかご本体１に取付けられる取っ手３にフック部２を一体成形したものであるため、ピンチかご本体１の開口が物干し竿の近くに存在することとなってピンチの取り出しが不便となり、これを解決するためにフック部２の長さを長くしたり、取っ手３を大形のものとすると、成形金型を大型のものとしなければならず、金型作成にさらに多大な出費を要するという課題を有するものである。
【０００８】
そこで、本考案の第１の目的は、該先行技術文献１に記載のピンチ収容容器のように、ピンチを選択して取り出す際に不便を感じることなく、物干し竿と容器の上部開放面との間に充分な間隔が設けられていて、収容されたピンチの使用に際して使いやすい構造とした洗濯物干し用ピンチ受けを提供しようとするものである。
【０００９】
また、本考案の第２の目的は、洗濯物干し用ピンチ受け容器の直上箇所において、洗濯物干し時に必要な物干し用ハンガーを適宜数保持させて直ちに取捨選択して使用できるようにした洗濯物干し用ピンチ受けを提案しようとするものである。
【課題を解決するための手段】
【００１０】
これらの目的のうち、前段の目的を達成するために講じた本考案にいう請求項１に記載の洗濯物干し用ピンチ受けの構成を、実施例において使用した符号を用いて説明すると、適量の物干し用ピンチを収容するための上部開口容器１と、該容器１を載置させる枠体２とからなり、該枠体２が、水平方向に所定の間隔を隔てて配置された２本の吊り下げ用フック体３，３と、該フック体３と前記枠体２との上下間を連結する２本の垂下体４，４と、前記フック体３の下方において２本の垂下体４，４の間に掛け渡された間隔規制用連結体５と、２本の垂下体４，４の下方部分において前方に向かって突出させた２本の水平枠７ａ，７ａを備えた容器の載置枠７とを備える構成としたものである。
【００１１】
後段の請求項２に記載の洗濯物干し用ピンチ受けの構成は、適量の物干し用ピンチを収容するための上部開口容器１と、該容器１を載置させる枠体２とからなり、該枠体２が、水平方向に所定の間隔を隔てて配置された２本の吊り下げ用フック体３，３と、該フック体３と前記枠体２との上下間を連結する２本の垂下体４，４と、前記フック体３の下方において２本の垂下体４，４の間に掛け渡された間隔規制用連結体５と、２本の垂下体４，４の下方部分において前方に向かって突出させた２本の水平枠７ａ，７ａを備えた容器の載置枠７とを備え、さらに、所定長さの水平棒状部６２を備え、基部６１に下向き開放のフック状部６３を形成してあるハンガー係止用棒状体６を、フック状部６３を介して連結体５に着脱自在に取付け、当該水平棒状部６２をピンチ収容容器１の上部において連結体５の前方に向かって水平方向に突出させてある構成としたものである。
【００１２】
このような構成とした本考案にいう洗濯物干し用ピンチ受けを実施するに当たっては、樹脂成形金型に対する高価な投資を回避するため、ピンチを収容するための上部開口容器１を除いて、枠体２を構成する水平方向に所定の間隔を隔てて配置された２本の吊り下げ用フック体３，３と、該フック体３と前記枠体２との上下間を連結する２本の垂下体４，４と、該フック体３の下方において２本の垂下体４，４の間に掛け渡された連結体５と、２本の垂下体４，４の下方部分において前方に向かって突出させた２本の水平枠７ａ，７ａとの成型素材、さらには、所定長さの水平棒状部６２を備え、基部６１に下向き開放のフック状部６３を形成してあるハンガー係止用棒状体６を、防錆処理を施した適宜太さの金属線材によって形成することができる。
【００１３】
この金属線材は、販売流通に際して全体が嵩張らないようにするとともに、運送費の低減化を考慮して複数の部品に分割して実施することが望ましい。
【考案の効果】
【００１４】
以上のように、本考案の請求項１に記載の洗濯物干し用ピンチ受けは、物干し用ピンチを収容するための上部開口容器と、この容器を載置させる枠体とを個々に形成したものとしてあるから、ピンチ受けの物干し竿からの間隔を最適な間隔に設定しやすいという利点がある。また、物干し竿に対して吊り下げるフック体を、水平方向に所定の間隔を隔てて配置させた２本のフック体によって形成してあるので、ピンチの収容用容器を安定させやすいという利点があり、フック体の下方に垂下させた２本の垂下体を、両垂下体間に掛け渡した間隔規制用連結体によって連結させてあるので、枠体全体が固定化しやすいという効果を有する。
【００１５】
請求項２に記載の洗濯物干し用ピンチ受けは、ハンガー係止用棒状体をピンチの収容用容器の上方に形成しておき、このハンガー係止用棒状体に洗濯物干し用ハンガーを係止しておくことができるので、洗濯物干し時に、物干し用ハンガーについても手近に揃えておいて直ちに使用することができるので、上記の効果に加えてさらなる利便性を有する。
【図面の簡単な説明】
【００１６】
【図１】本考案の洗濯物干し用ピンチ受けの使用形態を示す全体斜視図。
【図２】枠体の組み立て直前状態と上部開口容器とを示す全体斜視図。
【図３】枠体を構成する第１部材を示す斜視図。
【図４】枠体の第２部材を示す図３同様の斜視図。
【図５】枠体の第３部材を示す図３同様の斜視図。
【図６】本考案の第２実施例におけるハンガー係止用棒状体を示す斜視図。
【図７】図６の正面図。
【図８】図６の側面図。
【図９】ハンガー係止用棒状体を第１部材に取付けた状態を示す正面図。
【図１０】図９の側面図。
【考案を実施するための形態】
【００１７】
以下本考案にいう洗濯物干し用ピンチ受けの第１実施例について、添付の図面に基づいて説明する。
該第１実施例として示した洗濯物干し用ピンチ受けは、図１及び図２において符号１として示した合成樹脂製の容器、ここでは、上下深さの浅い略方形状の上部開口容器であって、この容器１に洗濯物干し用のピンチ（図示略）を所要数入れて使用する。
【００１８】
これらの図１及び図２を含めてその他の図に示した符号２は、容器１を適宜高さ位置に載置して物干し竿１００（図１参照）に吊り下げて使用するための枠体を示す。該枠体２は、鉄線材等の素材を曲げ加工や溶接加工により作製し、外皮として適宜色彩の防錆塗装を施したものである。
【００１９】
前記ピンチ収容用の上部開口容器１は、合成樹脂のインゼクション成形品であってもよく、鉄線を利用した篭形態のものであってもよい。枠体２は、鉄線に防錆塗装を施したものとしてある。
【００２０】
該実施例に示した枠体２は、大別して図３〜５に個々に示した第１部材、第２部材及び第３部材の３つの部材によって形成される構造としてある。
【００２１】
図３に示した第１部材は、図１に示したように、物干し竿１００に吊り下げて使用する下向き開放のＵ字形に形成した２本の吊り下げ用フック体３，３を水平方向に所定の間隔を隔てて配置形成してある。これらのフック体３，３は、下げ手を兼ねた連結杆８で連結されている。
【００２２】
また、これらのフック体３，３には、その下方に、符号４ａ，４ａとして示してある２本の垂下体４，４を連結してあり、これら２本の垂下体４，４の間には、図では５ａ，５ａとして示してある上下２本の間隔規制用連結体５，５を掛け渡して連結してある。これら上下２本の間隔規制用連結体５，５は、その横幅方向中程に左右２本の縦杆５１，５１で連結してある。また、その下端部は第２部材とボルト連結するために平坦状に形成してあり、ボルト孔９１，９１を形成してある。
【００２３】
図４に示した第２部材は、図１，２に示したように、前記符号４ａ，４ａとして示した２本の垂下体４，４の下方に連結するために、上端を平坦状としてボルト孔９２，９２を形成してある２本の垂下体４ｂ，４ｂの上部付近及び下部付近とに間隔規制用連結体５ｂ，５ｃを掛け渡して連結し、下部側の間隔規制用連結体５ｃのすぐ上部に、後述する第３部材の先端部と連結するための平坦部とボルト孔９３，９３を形成してある。なお、前記間隔規制用連結体５ｃの下部には、脚部４ｃ，４ｃが形成されている。
【００２４】
図５に示した第３部材は、図１，２に示したように、その先端部に、前記第２部材の平坦部のボルト孔９３，９３に連結するための平坦部とボルト孔９４，９４を形成してある左右２本の前方に向かって突出させた水平枠７ａ，７ａと、その前端部を下方に屈曲させて脚部７ｃ，７ｃを形成してある。また、これらの脚部７ｃ，７ｃを間隔規制用連結体５ｄで連結してある。
【００２５】
このような構造とした第１乃至第３部材の組み立てに際しては、図２のように、前記第１部材下端のボルト孔９１，９１と第２部材上端のボルト孔９２，９２とを対応させて図１のようにボルトＢで連結し、同様に、第２部材の下部付近のボルト孔９３，９３と第３部材先端部のボルト孔９４，９４とを対応させて図１のようにボルトＢで連結すればよい。このようにして組み立てた枠体２の前記水平枠７ａ，７ａを利用してピンチ収容用容器１を図１のように載置して使用すればよい。
【００２６】
図６乃至図１０は、本考案の第２実施例を説明する図であって、前記実施例で説明した第１乃至第３の枠体とは別に形成したハンガー係止用棒状体６を示したものである。該実施例に示したハンガー係止用棒状体６は、図６に示したように、所定長さの水平棒状部６２の先端部を上方に向けて屈折させて滑り止め部６４とし、その基部６１を、上端部を下向き開放のフック状部６３，６３に形成し、正面形状をＵ字形枠６０とし、該Ｕ字形枠６０に掛け渡した連結体６５の中央部に溶着したものである。
【００２７】
このような構造としたハンガー係止用棒状体６を、前記フック状部６３，６３を介して図９，１０のように、連結体５ａに着脱自在に取付け、当該水平棒状部６２をピンチ収容容器１の上部において連結体５ａの前方に向かって水平方向に突出させてあるものとし、該棒状体６の水平棒状部６２に洗濯用ハンガー（図示略）を掛けて使用するようにしたものである。
【００２８】
以上本考案の代表的と思われる実施例について説明したが、本考案は必ずしも上記実施例に示した構造のみに限定されるものではなく、本考案にいう前記の構成要件を備えていて、かつ、本考案にいう目的を達成し、上記の効果を達成する範囲内において適宜改変して実施することができるものである。
【産業上の利用可能性】
【００２９】
本考案にいうところの洗濯物干し用ピンチ受けは、物干し竿の近くで、物干し姿勢のままで物干し用ピンチを適宜選択して使用することができるものであり、ひいては、物干し用ハンガーも必要に応じて物干し姿勢のままで選択使用できることから、市場に提供すると大いに歓迎され重宝に使用されるものと期待される。
【符号の説明】
【００３０】
１  上部開口容器
２  枠体
３  吊り下げ用フック体
４  垂下体
５  間隔規制用連結体
６  ハンガー係止用棒状体
６１  棒状体基部
６２  水平棒状部
６３  フック状部
７  載置枠
７ａ  水平枠
【図１】
0003186593.tif 000003
【図２】
0003186593.tif 000004
【図３】
0003186593.tif 000005
【図４】
0003186593.tif 000006
【図５】
0003186593.tif 000007
【図６】
0003186593.tif 000008
【図７】
0003186593.tif 000009
【図８】
0003186593.tif 000010
【図９】
0003186593.tif 000011
【図１０】
0003186593.tif 000012